(57)【要約】      （修正有）【課題】居眠りは社会生活において様々な悪影響を与える現象であるが、従来においてはこの居眠りを効果的に阻止出来る手軽な装置は見当たらなかった。【解決手段】振動発生装置（２）と、居眠りの前兆である装用者の頭部の前傾を検知して前記振動発生装置（２）を起動させる傾き検知器（５）とを筺体（１）内に有する居眠り防止具であって、前記傾き検知器（５）が、円弧状に弯曲したチューブ状をなし、両端にそれぞれ電極（６）（６）を、曲率半径が大きい外径側内周面に、両方の端部（７）（７）が前記電極（６）の近傍に達している帯状電極（８）を、それぞれ有するスイッチ室（９）と、このスイッチ室（９）内に滑動自在に封入され、前記電極（６）と帯状電極（８）とを電気的に接合する金属球（１０）とから構成された居眠り防止具。【選択図】図１
0003128428.tif 000002
【実用新案登録請求の範囲】
【請求項１】
振動発生装置（２）と、居眠りの前兆である装用者の頭部の前傾を検知して前記振動発生装置（２）を起動させる傾き検知器（５）とを筺体（１）内に有する居眠り防止具であって、前記傾き検知器（５）が、円弧状に弯曲したチューブ状をなし、両端にそれぞれ電極（６）（６）を、曲率半径が大きい外径側内周面に、両方の端部（７）（７）が前記電極（６）の近傍に達している帯状電極（８）を、それぞれ有するスイッチ室（９）と、このスイッチ室（９）内に転動自在に封入され、前記電極（６）と帯状電極（８）とを電気的に接合する金属球（１０）、とから構成されていることを特徴とする居眠り防止具。
【請求項２】
筺体（１）の側部に取付け用舌片（１４）が枢支されていると共に、筺体（１）の上部からこの取付け用舌片（１４）の側面に向かって傾き調整用ネジ（１５）が植設されており、帽子、サンバイザー、メガネ等に筺体（１）を傾き調整可能で取付けられる様になっていることを特徴とする請求項１記載の居眠り防止具。
【請求項３】
筺体１内にタイマー（１１）が内蔵されており、振動発生装置（２）の振動時間を任意に設定出来る様になっていることを特徴とする請求項１記載の居眠り防止具。
【考案の詳細な説明】
【技術分野】
【０００１】
この考案は居眠り防止具、詳しくは、居眠りの前兆を捉えて振動によって警告を発し、居眠り状態から覚醒させる居眠り防止具に関するものである。
【背景技術】
【０００２】
突然睡魔に襲われる居眠りは、社会生活上、様々な悪影響を与えていることは周知の通りであり、特に自動車運転中における居眠りは、重大な交通事故を誘発する危険が非常に高い為、運転中の居眠りを防ぐ有効な手段の出現が求められていた。
【特許文献１】なし
【非特許文献１】なし
【考案の開示】
【考案が解決しようとする課題】
【０００３】
居眠りの前兆を捉えて、居眠りに陥らない様に何らかの手段で警告を発する装置は、従来からいくつか提案されているが、いずれも、まばたきや眼球の動き、あるいは脳波などから居眠りの前兆を捉えようとするものが殆どであり、検知精度が不十分であったり、非常に高価だったりするなど、必ずしも満足すべきものではなかった。本考案は、居眠りの前兆を的確に捉え、これに基づいて警告を発して、居眠りに陥ることを阻止する有効な方策について、鋭意研究を行った結果、居眠りに陥る直前には、首が瞬間的に固定状態になって前傾することを発見し、この挙動を捉えることにより、居眠りの前兆を検知し、警告手段を起動させる、高精度かつ低コストな居眠り防止具を開発することに成功し、ここに提案するものである。
【課題を解決するための手段】
【０００４】
振動発生装置２と、居眠りの前兆である装用者の頭部の前傾を検知して前記振動発生装置２を起動させる傾き検知器５とを筺体１内に有する居眠り防止具において、前記傾き検知器５を、円弧状に弯曲したチューブ状をなし、両端にそれぞれ電極６，６を、曲率半径が大きい外径側内周面に、両方の端部７，７が前記電極６の近傍に達している帯状電極８をそれぞれ有するスイッチ室９と、このスイッチ室９内に転動自在に封入され、前記電極６と帯状電極８とを電気的に接合する金属球１０、とから構成することにより、上記課題を解決した。
【実施例】
【０００５】
図１はこの考案に係る居眠り防止具の一実施例の内部を透視して描いた側面図である。
【０００６】
図中１はこの居眠り防止具の本体を構成する筺体であり、装用者の耳に掛けられる程度の大きさをなしており、その内部には振動発生装置２、電池３、メインスイッチ４、傾き検知器５、タイマー１１がそれぞれ組み込まれている。振動発生装置２はマグネットあるいはモーターの作用によって振動を起こす装置であり、携帯電話などに用いられているものと基本的に同一である。電池３は収容スペースが小さくてすむ、所謂ボタン電池が好適に使用される。
【０００７】
傾き検知器５は、スイッチ室９とその中に封入されている金属球１０とからなるものであり、図２に詳記する様に、スイッチ室９は円弧状に弯曲したチューブ状をなし、両端内面にはそれぞれ小突起状の電源６、６が、曲率半径が大きい外径側内周面には、両方の端部７、７が前記電極６の近傍に達する帯状電極８がそれぞれ設けられており、このスイッチ室９内には電極６と帯状電極８とを電気的に接続する金属球１０が転動自在に封入せしめられている。
【０００８】
そして、これら振動発生装置２、電池３、メインスイッチ４、傾き検知器５はそれぞれ電気的に接続されており、傾き検知器５内の金属球１０が電極６と帯状電極８とを電気的に接続すると、電池３から振動発生装置２に電気が供給され、タイマー１１によって予め設定された時間だけ、振動発生装置２が振動する様になっている。又、筺体１の上部には、筒状の嵌入孔１６が形成されており、この嵌入孔１６には耳掛け式の装着具１２の根元部分１７が出入自在に嵌入せしめられており、この装着具１２の根元部分１７は、筺体１の傾きを調整する機能を有している。
【０００９】
この実施例は上記の通りの構成を有するものであり、メインスイッチ４をオンにし、装着具１２の長さ及び筺体１の傾きを調整して耳に掛けて装着する。この状態において、自動車の運転、その他日常生活を行うのであるが、眠気を催し、居眠りに陥り、首が瞬間的に固定状態となって、ガクッと前に倒れると、傾き検知器５のスイッチ室９内の金属球１０は電極６方向へ転動し、電極６と帯状８の両方に接触して、これらを電気的に接続し、これによって電池３から振動発生装置２に電気が供給され、振動発生装置２が振動を開始する。この振動は、筺体１の外面を通じて、装用者の頭部に伝達され、振動による刺激によって装用者は覚醒させられ、居眠りに陥ることを免れる。なお、この振動はタイマー１１で設定された時間だけ接続し、設定時間が過ぎると、振動は停止する。
【００１０】
次に、図３に基づいてこの考案に係る居眠り防止具の他の実施例について説明する。この実施例においては、ブロック状をなした筺体１の側部に取付用舌片１４が枢支されていると共に、筺体１の上部からはこの取付用舌片１４の側面に向かって、傾き調整用ネジ１５が植設されており、この傾き調整用ネジ１５のネジ込み量を適宜調整することにより、筺体１の傾きを調整出来る様になっている。なお、筺体１内に配置されている各部材は図１に示した実施例と同じであり、同一符号を付して説明を省略する。この実施例は、取付用舌片１４と筺体１の側面とで挟み込むことにより、帽子、サンバイザー、メガネ、スエットバンドその他頭部に装用する各種用品に装着して使用するものであり、眠気を催したときは、前記実施例と同様に、頭部に振動が伝えられ、居眠りに陥るのを防止する。
【００１１】
以上、述べた通り、この考案に係る居眠り防止具は、金属球の動きによって装用者の首の傾きを検知し警告を発するものであり、極めて高い精度で居眠りの前兆を検知することが可能であり、簡単な構造で故障や誤作動のおそれも極めて少なく、低コストで生産することが可能である。又、コンパクトであるので、装着した際の違和感が少なく、時、所を問わず手軽に装着することが出来る。更に、耳への装着以外にも帽子や、サンバイザー、メガネ等頭部に装用する各種用品に簡単に取り付けることが可能で、重大な事故を誘発しかねない居眠りを効果的に阻止することが出来る効果を有し、高い実用的価値を持つものである。
【図面の簡単な説明】
【００１２】
【図１】この考案に係る居眠り防止具の一実施例の内部を透視して描いた側面図。
【図２】その要部の断面図。
【図３】他の実施例の内部を透視して描いた斜視図。
【符号の説明】
【００１３】
１    筺体
２    振動発生装置
３    電池
４    メインスイッチ
５    傾き検知器
６    電極
７    端部
８    帯状電極
９    スイッチ室
１０    金属球
１１    タイマー
１２    装着具
１３    傾き調整具
１４    取付用舌片
１５    傾き調整用ネジ
１６    嵌入孔
１７    根元部分
【図１】
0003128428.tif 000003
【図２】
0003128428.tif 000004
【図３】
0003128428.tif 000005